(57)【要約】【課題】遺骨を安全に守ることのできる墓石用の扉機構と該扉機構を設けた墓石を提供する。【解決手段】墓石の一部に、施錠可能なる扉機構を設けたことを特徴とする。【選択図】      図９
2006249904.tif 000002
【特許請求の範囲】
【請求項１】
墓石に取り付け可能なる枠板に扉板を開閉可能に取り付け、該扉板適所に施錠機構を設けたことを特徴とする墓石用扉機構。
【請求項２】
墓石の一部に、施錠可能なる扉機構を設けたことを特徴とする墓石。
【発明の詳細な説明】
【技術分野】
【０００１】  この発明は、墓石内に収納されている遺骨等を盗難やイタズラから守るために用いる墓石用の扉機構と、この扉機構を用いた墓石に関する。
【背景技術】
【０００２】    従来より、墓石には遺骨収納のためのスペースが設けられ、このスペース内に遺骨等を収納保管しているが、この収納された遺骨等を盗難から守るための機能を有する墓石は現在のところ見当たらない。
【発明の開示】
【発明が解決しようとする課題】
【０００３】  墓石は故人を偲ぶ象徴として必要なものであり、遺骨を収納するスペースを有している。
一般的にはこのスペースを塞ぐ石材を有しており、この石材を移動させて現れる入口から遺骨を中に入れ、石材を元に戻して入り口を塞ぐ構造が用いられている。
この石材は重量物であり、自然に移動するのは大規模な地震以外には考えられないが、他者が人為的に移動させることが可能である。そのため、遺骨の盗難やイタズラを防止できないという問題があった。
本発明は、以上のような従来からの墓石構造に関わる課題を解決するために発明されたもので、施錠機構を有する扉を用いることにより、既述の問題を解決できる新規かつ有用なる手段を提供することを目的として開発されたものである。
【課題を解決するための手段】
【０００４】  課題を解決する手段として本発明は、枠板内に扉板を開閉可能に設け、この扉板に施錠機構を設けてその主要部を構成した。
すなわち、墓石に取り付け可能なる枠板に扉板を開閉可能に取り付け、該扉板適所に施錠機構を設ける。本発明は以上の構成よりなる墓石用扉機構である。また、墓石の一部に、施錠可能なる扉機構を設けたことを特徴とする墓石である。
【発明の効果】
【０００５】  本発明によれば、墓石の納骨個所に施錠可能なる扉板を設けたので、鍵の所持者以外の者が納骨に触れることを防止することのできる有用なる墓石用の扉機構とこの扉機構を用いた墓石を提供することができる。
【発明を実施するための最良の形態】
【０００６】  以下、本発明の実施形態について説明する。
図において、１はステンレス板による扉機構である。この扉機構は枠部分と扉部分および施錠機構を主要部として構成される。２は外枠で、正面視略コ字形板であり、その左右には直角に折曲された長方形状の張り出し部３を有している。４は内枠で、その内側に張り出す鍔部５を有する正面視略正方形状の枠板で外枠内に固着される。６は扉板で、略正方形板体であり、内枠鍔部背面に接して位置し、鍵穴を有する錠本体７が扉板適所の前面から背面に貫通して取り付けられる。この扉板サイズは前記鍔部よりわずかに小さく形成される。
８は蝶番で、錠本体取り付け位置と反対側の扉板裏面と内枠間に設けられる。９は突片で、錠本体近傍の内枠の一部を内側に折曲して形成される。１０は回動板で、舌片状の小板体であり、錠本体後面に螺着される。以上の錠本体と突片および回動板にて施錠機構が形成される。この回動板は、突片より前部に位置し、施錠時は図５に示すように突片に接して位置するが、開錠時には９０度回動するため、突片と非接触状態となる。また、内枠と扉板の位置関係から内枠に対し扉板は内開きの関係にある。従って、施錠時は回動板は突片前面に接して位置するため扉板を開くことはできないが、開錠時は突片から回動板が離れて扉板を開くことができる。【０００７】  本発明は墓石に取り付けて使用するものであり、以下の手順による。
まず、墓石の中台に取り付けて使う場合は、あらかじめ中台正面に角穴を開けておく。
この角穴は扉機構サイズと合致し、角穴両脇に接着剤を塗布し、張り出し部をあてがって接着させる。このとき、張り出し部との接触部分を板厚分だけ削っておくことにより、仕上げ後は中台表面と扉機構表面との段差を無くすることができる。次ぎに、扉板を閉にして施錠し、図８にて示すように水鉢にて扉を塞いでおく。納骨時は、まず水鉢を移動し、鍵にて開錠して扉を開け、中台および芝台内部の空隙内に納骨し、上述と逆の手順にて初期状態に戻す。
以上のことから、外観上は一般の墓石と変化はないが、納骨に触れるには開錠しなければならず、鍵を持たない他者による遺骨の盗難やイタズラを防止することができる。
図１２〜図１４は拝石下方に納骨する場合の例であり、その機能は同様である。
また、図１５〜図１６に示すように、香炉を用いる場合も同様の機能を発揮することができる。この場合は香炉の扉を開くと扉板が露出するので納骨が容易となる。なお、扉板に適宜サイズ・数の通気孔（図示略）を設けることにより、納骨個所の過湿を防いで遺骨保存に適した状態を維持することができる。
以上のごとく、本発明により遺骨の安全管理を可能とする有用なる手段を得ることができる。
【図面の簡単な説明】
【０００８】
【図１】  本発明の墓石用扉機構の平面図
【図２】  本発明の墓石用扉機構の正面図
【図３】  本発明の墓石用扉機構の右側面図
【図４】  Ａ−Ａ断面図
【図５】  本発明の墓石用扉機構の背面図
【図６】  本発明の要部拡大説明図
【図７】  本発明の要部拡大説明図
【図８】  本発明の扉機構を設けた墓石の斜視図（水鉢非移動時）
【図９】  本発明の扉機構を設けた墓石の斜視図（水鉢移動時・扉開時）
【図１０】  本発明の扉機構を設けた墓石の要部拡大斜視図（扉開時）
【図１１】  本発明の扉機構を設けた墓石の縦断面図
【図１２】  本発明の扉機構を設けた墓石の斜視図（拝石利用時）
【図１３】  本発明の扉機構を設けた墓石の斜視図（拝石移動時）
【図１４】  本発明の扉機構を設けた墓石の縦断面図（拝石利用時）
【図１５】  本発明の扉機構を設けた墓石の斜視図（香炉利用時）
【図１６】  本発明の扉機構を設けた墓石の斜視図（香炉利用時・扉開時）
【符号の説明】
【０００９】  １    扉機構
２    外枠
３    張り出し部
４    内枠
５    鍔部
６    扉板
７    錠本体
７ａ  鍵
８    蝶番
９    突片
１０  回動板
１１  芝台
１２  水鉢
１３  中台
１４  上台
１５  竿石
１６  拝石
１７  下台石
１８  香炉
１９  納骨室
２０  納骨室
【図１】
2006249904.tif 000003
【図２】
2006249904.tif 000004
【図３】
2006249904.tif 000005
【図４】
2006249904.tif 000006
【図５】
2006249904.tif 000007
【図６】
2006249904.tif 000008
【図７】
2006249904.tif 000009
【図８】
2006249904.tif 000010
【図９】
2006249904.tif 000011
【図１０】
2006249904.tif 000012
【図１１】
2006249904.tif 000013
【図１２】
2006249904.tif 000014
【図１３】
2006249904.tif 000015
【図１４】
2006249904.tif 000016
【図１５】
2006249904.tif 000017
【図１６】
2006249904.tif 000018